(57)【要約】      （修正有）【課題】キノコを繁殖するための培養瓶内に培養するキノコが成熟して収穫された後に、培養瓶内にある培養基材（例えば糠と木の屑となど）を快速に掘り出すことができる瓶体内容物掘出機の構造を提供する。【解決手段】機械本体１０と、屑掘出装置２０と、昇降検知装置とを含む瓶体内容物掘出機の構造において、機械本体には、輸送装置１１と、反転装置１２と、屑輸送装置とが組付けてあり、機械本体の上には傾斜面が設けてあり、傾斜面には嵌合穴１４１が複数に設けてあり、輸送装置には培養瓶６１を収容するための篭が設けてあり、反転装置により培養瓶と篭とが一緒に反転され、反転された培養瓶の開口が嵌合穴に当接し、屑掘出装置は、一つの受け板２１と、二つのギヤボックス２２とを有し、ギヤボックスにはギヤボックスに駆動される掘出棒が複数に取付けてあり、昇降検知装置は、一つのセンサー固定台と、複数のセンサー接点とを有する。【選択図】図５
0003118471.tif 000002
【実用新案登録請求の範囲】
【請求項１】
機械本体と、屑掘出装置と、昇降検知装置とを含む瓶体内容物掘出機の構造において、
前記機械本体には、輸送装置と、反転装置と、屑輸送装置とが組付けてあり、前記機械本体の上には傾斜面が設けてあり、前記傾斜面には嵌合穴が複数に設けてあり、前記輸送装置には培養瓶を収容するための篭が設けてあり、前記反転装置により培養瓶と篭とが一緒に反転され、反転された培養瓶の開口が前記嵌合穴に当接し、
前記屑掘出装置は、一つの受け板と、二つのギヤボックスとを有し、前記ギヤボックスにはギヤボックスに駆動される掘出棒が複数に取付けてあり、前記受け板の両側にはスライドブロックがそれぞれ組付けてあり、各スライドブロックがレールに設置され、前記レールは機械本体内に固定され前記傾斜面と垂直し、前記油圧装置は、一つの油圧ポンプと、一つの管路組と、一つの油圧モータと、二つの油圧シリンダーとを有し、前記油圧ポンプと油圧シリンダーとが機械本体内に固定され、且つ前記油圧シリンダーの作動ロッドの端部が前記スライドブロックに組み付けられ、前記管路組により油圧シリンダーは油圧ポンプと連通し、前記油圧モータが屑掘出装置の受け板の上で取付けられ、前記管路組により油圧モータは油圧ポンプと連通し、且つ前記油圧ポンプは屑掘出装置のギヤボックスを駆動し、
前記昇降検知装置は、一つのセンサー固定台と、複数のセンサー接点とを有し、前記センサー固定台は機械本体内に固定され前記傾斜面と垂直し、且つ前記センサー固定台には組付け溝が設けてあり、なお、前記センサー接点は、センサー固定台の組付け溝と、スライドブロックとに取付けられ、前記スライドブロックは、レールで摺動し、センサー接点を設定通りに接触することを特徴とする、
瓶体内容物掘出機の構造。
【請求項２】
前記機械本体の嵌合穴内には係止ブロックが設けてあり、培養瓶の開口の外縁が前記係止ブロックに緊密に係止されることを特徴とする、請求項１に記載の瓶体内容物掘出機の構造。
【請求項３】
前記掘出棒の末端には螺旋状を呈する掘出部が設けてあることを特徴とする、請求項１に記載の瓶体内容物掘出機の構造。
【請求項４】
前記油圧モータは一つのスプロケットを駆動して、前記スプロケットに掛けたチェーンにより各ギヤボックスに取付けられたスプロケットも駆動されることを特徴とする、請求項１に記載の瓶体内容物掘出機の構造。
【請求項５】
機械本体と屑掘出装置との間には支持レバーが組付けてあり、前記支持レバーは、端部が互いに枢着してある下支持ロッドと上支持ロッドとを含み、前記下支持ロッドの他端が機械本体内に枢着し、なお、前記上支持ロッドの他端が屑掘出装置の受け板の底部に枢着することを特徴とする、請求項１に記載の瓶体内容物掘出機の構造。
【考案の詳細な説明】
【技術分野】
【０００１】
本考案は、瓶体内容物掘出機の構造に係り、特に、キノコを繁殖するための培養瓶内に培養するキノコが成熟して収穫された後に、培養瓶内にある培養基材（例えば糠と木の屑となど）を掘り出す瓶体内容物掘出機の構造に関するものである。
【背景技術】
【０００２】
目下、培養瓶によりキノコを栽培する方法は普遍的になっており、この方法によれば、培養瓶内に糠と木の屑となどを充填することが必要であり、且つ糠と木の屑との混合物にキノコの菌種を混入して、適当な温度および湿度に制御される養殖室内に培養瓶を設置して、一定期間を経た後にキノコが成熟になって収穫することができ、なお、前記培養瓶内に充填された糠と木の屑との混合物は腐ったので、再利用ができなく、だから、前記培養瓶内に充填された糠と木の屑との混合物を掘り出すことは必要である。
【０００３】
人間費が高くなる現在では、前記培養瓶内に充填された糠と木の屑との混合物を人工で掘り出すことは作業コストが極めて高いので、台湾特許出願第０９２２００２１９号には、自動化になった瓶体内容物掘出機の構造が提案された。
【考案の開示】
【考案が解決しようとする課題】
【０００４】
本考案の主な目的は、キノコを繁殖するための培養瓶内に培養するキノコが成熟して収穫された後に、培養瓶内にある培養基材（例えば糠と木の屑となど）を快速に掘り出すことができる瓶体内容物掘出機の構造を提供する。
【課題を解決するための手段】
【０００５】
上記目的を達成するためになされた本願の考案は、機械本体と、屑掘出装置と、昇降検知装置とを含む瓶体内容物掘出機の構造において、前記機械本体には、輸送装置と、反転装置と、屑輸送装置とが組付けてあり、前記機械本体の上には傾斜面が設けてあり、前記傾斜面には嵌合穴が複数に設けてあり、前記輸送装置には培養瓶を収容するための篭が設けてあり、前記反転装置により培養瓶と篭とが一緒に反転され、反転された培養瓶の開口が前記嵌合穴に当接し、前記屑掘出装置は、一つの受け板と、二つのギヤボックスとを有し、前記ギヤボックスにはギヤボックスに駆動される掘出棒が複数に取付けてあり、前記受け板の両側にはスライドブロックがそれぞれ組付けてあり、各スライドブロックがレールに設置され、前記レールは機械本体内に固定され前記傾斜面と垂直し、前記油圧装置は、一つの油圧ポンプと、一つの管路組と、一つの油圧モータと、二つの油圧シリンダーとを有し、前記油圧ポンプと油圧シリンダーとが機械本体内に固定され、且つ前記油圧シリンダーの作動ロッドの端部が前記スライドブロックに組み付けられ、前記管路組により油圧シリンダーは油圧ポンプと連通し、前記油圧モータが屑掘出装置の受け板の上で取付けられ、前記管路組により油圧モータは油圧ポンプと連通し、且つ前記油圧ポンプは屑掘出装置のギヤボックスを駆動し、前記昇降検知装置は、一つのセンサー固定台と、複数のセンサー接点とを有し、前記センサー固定台は機械本体内に固定され前記傾斜面と垂直し、且つ前記センサー固定台には組付け溝が設けてあり、なお、前記センサー接点は、センサー固定台の組付け溝と、スライドブロックとに取付けられ、前記スライドブロックは、レールで摺動し、センサー接点を設定通りに接触することを特徴とする瓶体内容物掘出機の構造であることを要旨としている。
【０００６】
本願の考案では、前記機械本体の嵌合穴内には係止ブロックが設けてあり、培養瓶の開口の外縁が前記係止ブロックに緊密に係止されることを特徴とする請求項１に記載の瓶体内容物掘出機の構造であることを要旨としている。
【０００７】
本願の考案では、前記掘出棒の末端には螺旋状を呈する掘出部が設けてあることを特徴とする請求項１に記載の瓶体内容物掘出機の構造であることを要旨としている。
【０００８】
本願の考案では、前記油圧モータは一つのスプロケットを駆動して、前記スプロケットに掛けたチェーンにより各ギヤボックスに取付けられたスプロケットも駆動されることを特徴とする請求項１に記載の瓶体内容物掘出機の構造であることを要旨としている。
【０００９】
本願の考案では、機械本体と屑掘出装置との間には支持レバーが組付けてあり、前記支持レバーは、端部が互いに枢着してある下支持ロッドと上支持ロッドとを含み、前記下支持ロッドの他端が機械本体内に枢着し、なお、前記上支持ロッドの他端が屑掘出装置の受け板の底部に枢着することを特徴とする請求項１に記載の瓶体内容物掘出機の構造であることを要旨としている。
【考案の効果】
【００１０】
本考案に係る瓶体内容物掘出機の構造によれば、キノコを繁殖するための培養瓶内に培養するキノコが成熟して収穫された後に、培養瓶内にある培養基材（例えば糠と木の屑となど）を快速に掘り出すことができる。
【考案を実施するための最良の形態】
【００１１】
以下、添付図面を参照して本考案の好適な実施の形態を詳細に説明する。
【００１２】
まず、図１と図２と図４と図５を参照する。本考案に係る瓶体内容物掘出機の構造は、一つの機械本体１０と、一つの屑掘出装置２０と、一つの油圧装置３０と、一つの支持レバー４０と、一つの昇降検知装置５０とを含む。
【００１３】
前記機械本体１０には、一つの輸送装置１１と、一つの反転装置１２と、一つの屑輸送装置１３とが組付けてあり、前記機械本体１０の上には傾斜面１４が設けてあり、前記傾斜面１４は二つの区域に分けられ、各区域には１２個の嵌合穴１４１が設けてあり、各嵌合穴１４１内には係止ブロック１４２が設けてあり、前記輸送装置１１は培養瓶６１を収容する篭６２を輸送し、前記輸送装置１１により篭６２がの予定位置まで輸送され、前記反転装置１２はシリンダー１２１によって当接板１２２を下へ移動させ、これにより、当接板１２２に開設された貫通孔１２３が培養瓶６１を嵌め、且つ反転装置１２はラック１２４を移動することにより歯車１２５を回転して反転支持アーム１２６を駆動し、且つシリンダー１２１と、当接板１２２と、篭６２と、培養瓶６１とは前記反転支持アーム１２６と一緒に反転して、培養瓶６１の開口の外縁は、機械本体１０の嵌合穴１４１に当接して、前記係止ブロック１４１に緊密に係止される。
【００１４】
前記屑掘出装置２０は、一つの受け板２１と、二つのギヤボックス２２とを有し、各ギヤボックス２２は１２個の掘出棒２３を同じ方向へ回転させ、前記掘出棒２３の末端には螺旋状を呈する掘出部２３１が設けてあり、また、前記受け板２１の両側にはスライドブロック２４がそれぞれ組付けてあり、各スライドブロック２４が円柱形状を呈するレール２５に設置され、前記レール２５は機械本体１０内に固定され前記傾斜面１４と垂直する。
【００１５】
前記油圧装置３０は、一つの油圧ポンプ３１と、一つの管路組３２と、一つの油圧モータ３３と、二つの油圧シリンダー３４とを有し、前記油圧ポンプ３１は機械本体１０内の底部に取付けられ、前記油圧シリンダー３４は機械本体１０内に取付けられ、前記油圧シリンダー３４の作動ロッド３４１の端部が前記スライドブロック２４に組み付けられ、前記管路組３２により油圧シリンダー３４は油圧ポンプ３１と連通し、前記油圧モータ３３が屑掘出装置２０の受け板２１の上で取付けられ、前記管路組３２により油圧モータ３３は油圧ポンプ３１と連通し、前記油圧モータ３３の出力軸３３１が受け板２１を貫通して下に突出し、且つ前記出力軸３３１は一つのスプロケット３３２を駆動して、前記スプロケット３３２に掛けたチェーン３３３により各ギヤボックス２２に取付けられたスプロケット２２１も駆動され、これにより、各ギヤボックス２２は掘出棒２３を同じ方向へ回転させる。
【００１６】
機械本体１０と屑掘出装置２０との間には支持レバー４０が組付けてあり、前記支持レバー４０は、端部が互いに枢着してある下支持ロッド４１と上支持ロッド４２とを含み、前記下支持ロッド４１の他端が機械本体１０内に枢着し、なお、前記上支持ロッド４２の他端が屑掘出装置２０の受け板２１の底部に枢着する。
【００１７】
前記昇降検知装置５０は、一つのセンサー固定台５１と、四つのセンサー接点５２，５３，５４，５５とを有し、前記センサー固定台５１は機械本体１０内に固定され前記傾斜面１４と垂直し、且つ前記センサー固定台５１には組付け溝５１１が設けてあり、センサー固定台５１にある組付け溝５１１には三つのセンサー接点５２，５３，５４が組付けてあり、なお、センサー接点５５はスライドブロック２４に組付けられ、スライドブロック２４がレール２５で移動するときに、スライドブロック２４に設けられたセンサー接点５５はセンサー固定台５１に設けられたセンサー接点５２，５３，５４と適時に接触する。
【００１８】
また、図４と図６を参照して、本考案の作動方式および機能を詳細に説明する。前記輸送装置１１により培養瓶６１を収容する篭６２が予定位置まで輸送される。
【００１９】
このとき、反転装置１２のシリンダー１２１が駆動されて当接板１２２を下に移動し、これにより、当接板１２２に開設された貫通孔１２３が培養瓶６１を嵌める。
【００２０】
そして、反転装置１２はラック１２４を移動することにより歯車１２５を回転して、図６と図７に示すように、反転支持アーム１２６を駆動し、且つシリンダー１２１と、当接板１２２と、篭６２と、培養瓶６１とは前記反転支持アーム１２６と一緒に反転して、培養瓶６１の開口の外縁は、図１０に示すように、機械本体１０の嵌合穴１４１に当接して、前記係止ブロック１４１に緊密に係止される。
【００２１】
本考案に係る瓶体内容物掘出機の反転装置１２が停止したときに、屑掘出装置２０が作動を開始し、図８に示すように、屑掘出装置２０は油圧ポンプ３１により、油圧シリンダー３４の作動ロッド３４１と、油圧モータ３３とを駆動し、油圧シリンダー３４の作動ロッド３４１により、スライドブロック２４と、スライドブロック２４に結合した受け板２１とがレール２５の上で摺動し、前記油圧モータ３３は出力軸３３１によりスプロケット３３２を駆動して、前記スプロケット３３２に掛けたチェーン３３３によりギヤボックス２２に取付けられたスプロケット２２１も駆動され、これにより、ギヤボックス２２に組付けられた掘出棒２３が回転しながら培養瓶６１へ前進し、そうすると、培養瓶６１内に充填された糠と木の屑との混合物が自動的で快速に掘り出される。
【００２２】
また、図９に示すように、油圧シリンダー３４にある作動ロッド３４１の押えによりスライドブロック２４がレール２５の上で摺動するときに、スライドブロック２４に設けられたセンサー接点５５はセンサー固定台５１に設けられたセンサー接点５２，５３，５４と適時に接触し、これにより、油圧シリンダー３４にある作動ロッド３４１の送りが適当に制御され、だから、掘出棒２３は、培養瓶６１に適当に挿入し、糠と木の屑との腐った混合物を掘り出すことができる。
【図面の簡単な説明】
【００２３】
【図１】本考案の正面概略図である。
【図２】本考案の背面概略図である。
【図３】本考案に係る油圧モータがスプロケットを駆動してチェーンにより各ギヤボックスにあるスプロケットを回転することを示す概略図である。
【図４】本考案の上面概略図である。
【図５】本考案に係る反転装置を機械本体の傾斜面へ反転する前の状態を示す概略図である。
【図６】本考案に係る反転装置の当接板にある貫通孔に培養瓶が嵌められた状態を示す概略図である。
【図７】本考案に係る反転装置を機械本体の傾斜面に反転した状態を示す概略図である。
【図８】本考案に係る屑掘出装置の動作を示す概略図である。
【図９】本考案に係る昇降検知装置の動作を示す概略図である。
【図１０】本考案に係る反転装置によって培養瓶の開口を機械本体の嵌合穴に当接させた状態を示す概略図である。
【符号の説明】
【００２４】
１０      機械本体                  １１      輸送装置
１２      反転装置                  １２１    シリンダー
１２２    当接板                    １２３    貫通孔
１２４    ラック                    １２５    歯車
１２６    反転支持アーム            １３      屑輸送装置
１４      傾斜面                    １４１    嵌合穴
１４２    係止ブロック
２０      屑掘出装置                ２１      受け板
２２      ギヤボックス              ２２１    スプロケット
２３      掘出棒                    ２３１    掘出部
２４      スライドブロック          ２５      レール
３０      油圧装置                  ３１      油圧ポンプ
３２      管路組                    ３３      油圧モータ
３３１    出力軸                    ３３２    スプロケット
３３３    チェーン                  ３４      油圧シリンダー
３４１    作動ロッド
４０      支持レバー                ４１      下支持ロッド
４２      上支持ロッド
５０      昇降検知装置              ５１      センサー固定台
５１１    組付け溝                  ５２      センサー接点
５３      センサー接点              ５４      センサー接点
５５      センサー接点
６１      培養瓶                    ６２      篭
【図１】
0003118471.tif 000003
【図２】
0003118471.tif 000004
【図３】
0003118471.tif 000005
【図４】
0003118471.tif 000006
【図５】
0003118471.tif 000007
【図６】
0003118471.tif 000008
【図７】
0003118471.tif 000009
【図８】
0003118471.tif 000010
【図９】
0003118471.tif 000011
【図１０】
0003118471.tif 000012